(57)【要約】【課題】内容物が注出され易い流路を確保して、内容物の残留量を低減することが可能な二重容器を提供する。【解決手段】二重容器１は、内容物を収容し内容物の減少に伴い収縮可能な内容器２０と、内容器２０を内包するボトル形状の外容器１０とが剥離可能に積層された二重容器である。内容器２０の胴部５は、内容器２０が収縮する際、外容器１０及び内容器２０の中心軸Ｚに向かって内方へ反るように変形する。外容器１０及び内容器２０の底部６は、内容器２０の収縮度合に基づいて内容器２０の底部６を外容器１０の底部６から剥離して浮き上がらせる。【選択図】図１
2020011753.tif 000002
【特許請求の範囲】
【請求項１】
内容物を収容し前記内容物の減少に伴い収縮可能な内容器と、前記内容器を内包するボトル形状の外容器とが剥離可能に積層された二重容器であって、
前記内容器の胴部は、前記内容器が収縮する際、前記外容器及び前記内容器の中心軸に向かって内方へ反るように変形し、
前記外容器及び前記内容器の底部は、前記内容器の収縮度合に基づいて前記内容器の底部を前記外容器の底部から剥離して浮き上がらせる、
二重容器。
【請求項２】
前記外容器及び前記内容器の前記底部は、前記外容器と前記内容器とを嵌合すると共に前記収縮度合に応じて前記外容器と前記内容器との嵌合が外れる嵌合部を備え、
前記内容器の底部は、
前記嵌合が外れる前は、前記外容器の底部に密着し、
前記嵌合が外れると、前記内容器の収縮に伴って、前記外容器の前記底部から剥離して浮き上がる、
請求項１に記載の二重容器。
【請求項３】
前記外容器及び前記内容器の前記底部は、前記外容器及び前記内容器の胴部に連なり周方向に延びる側壁部を備え、
前記嵌合部は、前記側壁部に設けられ、径方向内方に窪んで周方向に延びるように形成される、
請求項２に記載の二重容器。
【請求項４】
前記内容器の前記胴部において径方向で最も内方に位置する最内部と、前記中心軸とを含む平面で切断された前記内容器の縦断面において、
前記嵌合部は、前記最内部が、前記中心軸に対して前記最内部と同じ側に位置する前記内容器の口部を通り前記中心軸に沿った直線に到達する前では、前記嵌合が維持されるように設けられる、
請求項２又は３に記載の二重容器。
【請求項５】
前記内容器の前記胴部において径方向で最も内方に位置する最内部と、前記中心軸とを含む平面で切断された前記内容器の縦断面において、
前記中心軸に対して前記最内部と同じ側に位置する前記外容器の前記胴部の下端部と、前記最内部とを通る直線が、前記中心軸に対して成す角度を、第１角度とし、
前記中心軸に対して前記最内部と同じ側に位置する前記外容器の前記胴部の前記下端部と、前記中心軸に対して前記最内部と反対側に位置する前記外容器の前記胴部の上端部とを通る直線が、前記中心軸に対して成す角度を、第２角度とすると、
前記嵌合部は、前記第１角度が前記第２角度に到達する迄に、前記嵌合が外れるように設けられる、
請求項２〜４の何れか１項に記載の二重容器。
【請求項６】
前記外容器及び前記内容器の前記底部は、前記中心軸に略直交するように広がる底板部を備え、
前記底板部は、
前記底板部の縁部に位置して接地する下底部と、
前記底板部の中央部に位置すると共に前記下底部より上方に位置する上底部と、
前記上底部及び前記下底部と連なる側面部と、
を含み、
前記側面部は、前記中心軸に対して前記第２角度以上の角度で傾斜する、
請求項５に記載の二重容器。
【請求項７】
前記上底部には、前記内容器を前記外容器から剥離させるための剥離部が設けられる、
請求項６に記載の二重容器。
【発明の詳細な説明】
【技術分野】
【０００１】
本発明は、二重容器に関する。
【背景技術】
【０００２】
液体調味料又は液体化粧品等の内容物を収容し、その鮮度を保持する容器として、デラミボトル、エアレスボトル又は積層剥離容器等と称される、二重容器が知られている（例えば、特許文献１）。
【先行技術文献】
【特許文献】
【０００３】
【特許文献１】特開２０１７−１７１３１７号公報
【発明の概要】
【発明が解決しようとする課題】
【０００４】
特許文献１に記載の二重容器では、内容器の底部が外容器の底部に密着されている。このため、特許文献１に記載の二重容器では、内容物の収容量が少なくなった使用終盤段階において、内容器の収縮に伴って内容器の胴部の内面同士が接近し、内容物の注出を妨げる可能性が有る。それにより、特許文献１に記載の二重容器では、内容物を注出し切れずに内容器の内部に残留させてしまう可能性がある。
【０００５】
本発明は、上述の事情に鑑みてなされたものであり、上述のような問題点を解決することを課題の一例とする。すなわち、本発明の課題の一例は、内容物が注出され易い流路を確保して、内容物の残留量を低減することが可能な二重容器を提供することである。
【課題を解決するための手段】
【０００６】
本発明に係る二重容器は、内容物を収容し前記内容物の減少に伴い収縮可能な内容器と、前記内容器を内包するボトル形状の外容器とが剥離可能に積層された二重容器であって、前記内容器の胴部は、前記内容器が収縮する際、前記外容器及び前記内容器の中心軸に向かって内方へ反るように変形し、前記外容器及び前記内容器の底部は、前記内容器の収縮度合に基づいて前記内容器の底部を前記外容器の底部から剥離して浮き上がらせる構造を有する。
【０００７】
好適には、前記二重容器において、前記外容器及び前記内容器の前記底部は、前記外容器と前記内容器とを嵌合すると共に前記収縮度合に応じて前記外容器と前記内容器との嵌合が外れる嵌合部を備え、前記内容器の底部は、前記嵌合が外れる前は、前記外容器の底部に密着し、前記嵌合が外れると、前記内容器の収縮に伴って、前記外容器の前記底部から剥離して浮き上がる。
【０００８】
好適には、前記二重容器において、前記外容器及び前記内容器の前記底部は、前記外容器及び前記内容器の胴部に連なり周方向に延びる側壁部を備え、前記嵌合部は、前記側壁部に設けられ、径方向内方に窪んで周方向に延びるように形成される。
【０００９】
好適には、前記二重容器は、前記内容器の前記胴部において径方向で最も内方に位置する最内部と、前記中心軸とを含む平面で切断された前記内容器の縦断面において、前記嵌合部は、前記最内部が、前記中心軸に対して前記最内部と同じ側に位置する前記内容器の口部を通り前記中心軸に沿った直線に到達する前では、前記嵌合が維持されるように設けられる。
【００１０】
好適には、前記二重容器は、前記内容器の前記胴部において径方向で最も内方に位置する最内部と、前記中心軸とを含む平面で切断された前記内容器の縦断面において、前記中心軸に対して前記最内部と同じ側に位置する前記外容器の前記胴部の下端部と、前記最内部とを通る直線が、前記中心軸に対して成す角度を、第１角度とし、前記中心軸に対して前記最内部と同じ側に位置する前記外容器の前記胴部の前記下端部と、前記中心軸に対して前記最内部と反対側に位置する前記外容器の前記胴部の上端部とを通る直線が、前記中心軸に対して成す角度を、第２角度とすると、前記嵌合部は、前記第１角度が前記第２角度に到達する迄に、前記嵌合が外れるように設けられる。
【００１１】
好適には、前記二重容器において、前記外容器及び前記内容器の前記底部は、前記中心軸に略直交するように広がる底板部を備え、前記底板部は、前記底板部の縁部に位置して接地する下底部と、前記底板部の中央部に位置すると共に前記下底部より上方に位置する上底部と、前記上底部及び前記下底部と連なる側面部と、を含み、前記側面部は、前記中心軸に対して前記第２角度以上の角度で傾斜する。
【００１２】
好適には、前記二重容器において、前記上底部には、前記内容器を前記外容器から剥離させるための剥離部が設けられる。
【発明の効果】
【００１３】
本発明に係る二重容器は、内容物が注出され易い流路を確保することができ、内容物の残留量を低減することができる。
【図面の簡単な説明】
【００１４】
【図１】実施形態１に係る二重容器の縦断面を模式的に示す図である。
【図２】図１に示された二重容器の底部付近を拡大して示す図である。
【図３】内容器の底部が浮き上がる様子を説明するための図である。
【図４】内容器の最内部と中心軸とを含む平面で切断された二重容器の縦断面を模式的に示す図である。
【図５】内容器の最内部と中心軸とを含む平面で切断された二重容器の縦断面を模式的に示す図である。
【図６】実施形態２に係る二重容器の底部付近の縦断面を模式的に示す図である。
【図７】実施形態３に係る二重容器の底部付近の縦断面を模式的に示す図である。
【発明を実施するための形態】
【００１５】
以下、本発明の実施形態について、図面を参照しながら説明する。
【００１６】
本実施形態では、ボトル形状を有する二重容器１の中心軸Ｚに沿った方向を「軸方向」とも称し、二重容器１の中心軸Ｚを回転軸として周回する方向を「周方向」とも称し、二重容器１の中心軸Ｚに直交する方向を「径方向」とも称する。また、本実施形態では、二重容器１の口部３から底部６へ向かう軸方向を「下方」とも称し、二重容器１の底部６から口部３へ向かう軸方向を「上方」とも称する。また、本実施形態では、二重容器１の中心軸Ｚに沿った平面で二重容器１を切断した断面を「縦断面」とも称し、二重容器１の中心軸Ｚに直交する平面で二重容器１を切断した断面を「横断面」とも称する。
【００１７】
［実施形態１：二重容器の構成］
図１は、実施形態１に係る二重容器１の縦断面を模式的に示す図である。
【００１８】
二重容器１は、ボトル形状を有する容器である。二重容器１は、図１に示されるように、二重容器１の一端部であり内容物が注出される口部３と、二重容器１の他端部であり接地する底部６と、径方向外方に広がりながら口部３から下方へ延びる肩部４と、肩部４から下方に延びて底部６に連なる胴部５とを備える。
【００１９】
二重容器１は、二重容器１の外郭を構成し内容器２０を内包するボトル形状の外容器１０と、内容物を収容し内容物の減少に伴って収縮可能な内容器２０とを備える。二重容器１は、外容器１０の内面と内容器２０の外面とが剥離可能に積層されたボトルである。
【００２０】
外容器１０及び内容器２０は、合成樹脂製の容器であり、ブロー成形によって製造される。好適には、外容器１０及び内容器２０は、試験管形状のプリフォームを用いた二軸延伸ブロー成形によって製造される。具体的には、外容器１０及び内容器２０は、外容器１０のプリフォームの中に内容器２０のプリフォームを挿入して重ねた状態で、外容器１０のプリフォームと内容器２０のプリフォームとを、同時に延伸ブロー成形することによって製造される。
【００２１】
外容器１０及び内容器２０は、ポリオレフィン系樹脂、エチレン−ビニル系共重合体、スチレン系樹脂、ビニル系樹脂、ポリアミド系樹脂、ポリエステル系樹脂、ポリカーボネート系樹脂、ポリフエニレンオキサイド樹脂、又は、生分解性樹脂を用いて製造される。好適には、外容器１０及び内容器２０は、ポリオレフィン系樹脂、又は、ポリエステル系樹脂を用いて製造される。より好適には、外容器１０及び内容器２０は、ポリエステル系樹脂を用いて製造される。このポリエステル系樹脂としては、例えば、ポリエチレンテレフタレート、ポリブチレンテレフタレート、ポリエチレンナフタレート、及び、これらの共重合ポリエステル等の樹脂が挙げられる。特に好適には、外容器１０及び内容器２０は、ポリエチレンテレフタレート樹脂を用いて製造される。
【００２２】
外容器１０は、底部６が接地して自立するように形成される。外容器１０は、自立した状態で、口部３、肩部４、胴部５及び底部６の形態が保持されるように形成される。外容器１０の肩部４及び胴部５は、スクイズ操作により押圧されると内方に撓んで変形し、押圧が解除されると押圧前の原形に復元するように形成される。
【００２３】
内容器２０は、内容物を収容する収容空間Ｓを有し、外容器１０に沿った形状を有するように形成される。内容器２０の肩部４及び胴部５は、内容物の減少に伴って収縮するよう、外容器１０よりも薄い肉厚を有するように形成される。内容器２０の肩部４及び底部６は、内容器２０の胴部５よりも厚い肉厚を有するように形成される。内容器２０の口部３は、内容物の減少に伴って収縮せず、肩部４及び胴部５よりも高い剛性を有するように形成される。内容器２０は、内容物の減少に伴って収縮する際、胴部５の下端部５１と上端部５２との間に位置する中間部５３が、中心軸Ｚに向かって内方へ反るように変形する。
【００２４】
外容器１０の口部３には、外容器１０と内容器２０との間に外気を導入するための外気導入孔１１が設けられる。外気導入孔１１は、空気層Ａと連通するように設けられる。空気層Ａは、外容器１０と内容器２０とが剥離することによって、外容器１０の肩部４から底部６と、内容器２０の肩部４から底部６との間に形成される空間である。なお、二重容器１は、外容器１０又は内容器２０の口部３にスリット状の溝を形成し、外容器１０と内容器２０とを重ね合わせた状態で、この溝が、二重容器１の外部及び空気層Ａと連通することによって、外気導入孔１１として機能するように構成されてよい。
【００２５】
内容器２０の口部３は、外容器１０の口部３の上端部から上方に突出するように配置されて、外容器１０の口部３に固定される。内容器２０の口部３には、逆止弁付きのキャップが装着される被装着部２１が設けられる。被装着部２１は、キャップが打栓式で装着可能となるよう、周方向に延びる突条によって構成される。或いは、被装着部２１は、キャップがねじ込み式で装着可能となるよう、螺旋状のねじ山又はねじ溝によって構成されてよい。
【００２６】
［実施形態１：二重容器の底部の構造］
図２は、図１に示された二重容器１の底部６付近を拡大して示す図である。図２（ａ）は、嵌合部６７が外れる前の状態を示す図である。図２（ｂ）は、嵌合部６７が外れた状態を示す図である。図３は、内容器２０の底部６が浮き上がる様子を説明するための図である。図３（ａ）は、使用中盤段階において内容器２０の底部６が浮き上がる様子を示す。図３（ｂ）は、使用終盤段階において内容器２０の底部６が浮き上がる様子を示す。なお、図３（ａ）及び図３（ｂ）では、簡略化のため、外容器１０及び内容器２０の縦断面が、単なる太線で描かれている。
【００２７】
外容器１０及び内容器２０の底部６は、図２（ａ）に示されるように、中心軸Ｚに略直交するように広がる底板部６１と、胴部５の下端部５１に連なって周方向に延びる側壁部６６とを備える。
【００２８】
底板部６１は、その中央部が上方に膨出して、その中央部に略錐台形状の凹部６２を有するように形成される。底板部６１は、底板部６１の縁部に位置して接地する下底部６３と、底板部６１の中央部に位置すると共に下底部６３より上方に位置する上底部６４と、下底部６３と上底部６４とに連なる側面部６５とを含む。上底部６４及び側面部６５は、凹部６２を形成する。側面部６５は、下底部６３の内縁部から径方向内方に傾斜して上方に延びて上底部６４の外縁部に連なる。側面部６５は、中心軸Ｚに対して所定の傾斜角度で傾斜するように設けられる。
【００２９】
側壁部６６には、外容器１０と内容器２０とを嵌合する嵌合部６７が設けられる。嵌合部６７は、胴部５の下端部５１に連なる側壁部６６の上端部に設けられる。嵌合部６７は、径方向内方に円弧状に窪んで周方向に延びるように形成される。嵌合部６７は、周方向に連続して延びるように形成されてもよいし、周方向に不連続で延びるように部分的に形成されてもよい。嵌合部６７は、ビード又は溝等によって構成されてよい。
【００３０】
収容空間Ｓに収容された内容物が注出される前の使用前段階では、内容器２０の底部６は、ブロー成形での熱圧着によって、外容器１０の底部６に密着している。スクイズ操作により収容空間Ｓに収容された内容物が注出されると、内容器２０は収縮する。内容器２０が収縮する際、内容器２０の胴部５は内方へ反るように変形する。それにより、内容器２０の嵌合部６７には、内容器２０の胴部５の下端部５１に沿って上方且つ内方へ引っ張るような張力が作用する。この張力は、内容器２０の底部６を外容器１０の底部６から剥離し得る力として作用する。
【００３１】
収容空間Ｓに収容された内容物が多い使用初期段階では、この張力が内容器２０の嵌合部６７に作用しても、内容器２０の嵌合部６７では、上部６９が内方へ折れ曲がり、上部６９が支点となって胴部５の下端部５１を内方へ回動させる。それにより、嵌合部６７では、内容器２０を剥離し得る力が緩和されるため、外容器１０と内容器２０との嵌合が維持される。
【００３２】
収容空間Ｓに収容された内容物がある程度少なくなった使用中盤段階では、使用初期段階に比べて、内容器２０の胴部５が内方へ大きく反るように変形する。このため、内容器２０の嵌合部６７に作用する張力が大きくなり、内容器２０を剥離し得る力が大きくなる。内容器２０を剥離し得る力が外容器１０との密着力より大きくなると、内容器２０の嵌合部６７では、下部６８が内方へ折れ曲がり、上部６９から下部６８に亘って外容器１０から剥離する。それにより、嵌合部６７では、図２（ｂ）に示されるように、外容器１０と内容器２０との嵌合が外れる。
【００３３】
外容器１０と内容器２０との嵌合が外れると、嵌合部６７より下方の側壁部６６には、内容器２０の胴部５が内方へ反るように変形することにより発生する張力が作用する。そして、内容器２０の底部６では、嵌合部６７より下方の側壁部６６、下底部６３、側面部６５及び上底部６４が、この順に外容器１０から剥離し得る。内容器２０の底部６は、外容器１０の底部６から剥離した後、内容器２０の収縮に伴って空気層Ａの体積が増加することにより、図３（ａ）に示されるように浮き上がる。
【００３４】
収容空間Ｓに収容された内容物が少ない使用終盤段階では、使用中盤段階に比べて、内容器２０の収縮に伴って空気層Ａの体積が増加する。特に、使用終盤段階では、内容器２０の底部６と外容器１０の底部６との間における空気層Ａの体積が増加することにより、内容器２０の底部６を上方に押圧する力が大きくなる。それにより、内容器２０の底部６は、図３（ｂ）に示されるように、更に浮き上がる。
【００３５】
このように、二重容器１では、収容空間Ｓに収容された内容物が多く、内容器２０の収縮が余り進行していない段階では、嵌合部６７における嵌合が維持され、内容器２０の底部６が外容器１０の底部６に密着された状態となるように構成される。一方、二重容器１では、収容空間Ｓに収容された内容物が少なく、内容器２０の収縮が進行した段階では、嵌合部６７における嵌合が外れて、内容器２０の底部６が外容器１０の底部６から剥離して浮き上がる状態となるように構成される。すなわち、二重容器１では、外容器１０及び内容器２０の底部６が、内容器２０の収縮度合に基づいて内容器２０の底部６を外容器１０の底部６から剥離して浮き上がらせる浮上構造８０を有する。
【００３６】
二重容器１では、嵌合部６７における外容器１０と内容器２０との嵌合が外れることによって、内容器２０の底部６が外容器１０の底部６から剥離して浮き上がる。すなわち、二重容器１では、嵌合部６７が浮上構造８０を実現する構成として機能する。
【００３７】
嵌合部６７の嵌合が外れる条件は、内容器２０の収縮度合に応じて決定される。内容器２０の収縮度合は、内容器２０の収縮に伴って中心軸Ｚに向かって内方へ反るように変形する内容器２０の胴部５の形状によって定義される。すなわち、内容器２０の収縮度合は、内容器２０の胴部５において径方向で最も内方に位置する部分である最内部５４の位置によって定義される。内容器２０の収縮度合は、最内部５４が中心軸Ｚに近い位置にある程大きくなり、最内部５４が中心軸Ｚから遠い位置にある程小さくなる。
【００３８】
図４は、内容器２０の最内部５４と中心軸Ｚとを含む平面で切断された二重容器１の縦断面を模式的に示す図である。なお、図４では、簡略化のため、外容器１０及び内容器２０の縦断面が、単なる太線で描かれている。
【００３９】
図４において、中心軸Ｚに対して最内部５４と同じ側に位置する内容器２０の口部３を通り、中心軸Ｚに沿った直線を、直線Ｌとする。より詳細には、直線Ｌは、図４において、中心軸Ｚに対して最内部５４と同じ側に位置する内容器２０の口部３における下端部３１の内面を通り、中心軸Ｚに沿った直線であってよい。
【００４０】
嵌合部６７は、最内部５４が直線Ｌに到達する前では、外容器１０と内容器２０との嵌合が維持されるように設けられる。言い換えると、嵌合部６７は、最内部５４が直線Ｌに到達して以降、外容器１０と内容器２０との嵌合が外れるように設けられる。最内部５４が直線Ｌに到達する前は、最内部５４が中心軸Ｚから遠い位置にあり、収容空間Ｓでは、中心軸Ｚの周辺に少なくとも口部３の内径程度の比較的大きな直径を有する流路が確保され易い。また、最内部５４が直線Ｌに到達する前は、内容器２０が不規則に収縮する前であることが多く、内容器２０の底部６と外容器１０の底部６とが密着していることによって、内容器２０が規則的に収縮され易い。よって、二重容器１は、最内部５４が直線Ｌに到達する前では、嵌合部６７の嵌合を維持することによって、内容物が流れ易い流路を確保しつつ内容器２０を規則的に収縮させることができる。
【００４１】
図５は、内容器２０の最内部５４と中心軸Ｚとを含む平面で切断された二重容器１の縦断面を模式的に示す図である。なお、図５では、簡略化のため、外容器１０及び内容器２０の縦断面が、単なる太線で描かれている。
【００４２】
図５において、中心軸Ｚに対して最内部５４と同じ側に位置する外容器１０の胴部５の下端部５１と、最内部５４とを通る直線を、直線Ｍ１とする。更に、図５において、中心軸Ｚに対して最内部５４と同じ側に位置する外容器１０の胴部５の下端部５１と、中心軸Ｚに対して最内部５４と反対側に位置する外容器１０の胴部５の上端部５２とを通る直線を、直線Ｍ２とする。更に、図５において、直線Ｍ１が中心軸Ｚに対して成す角度を第１角度θ１とし、直線Ｍ２が中心軸Ｚに対して成す角度を第２角度θ２とする。
【００４３】
第１角度θ１は、内容器２０の最内部５４が中心軸Ｚに近い位置にある程大きくなり、最内部５４が中心軸Ｚから遠い位置にある程小さくなる。このため、第１角度θ１は、内容器２０の収縮度合を示す指標となり得る。第２角度θ２は、外容器１０の胴部５の形状によって決定される。第２角度θ２は、中間部５３の軸方向位置において直線Ｍ２が中心軸Ｚと交差するような角度である。
【００４４】
嵌合部６７は、第１角度θ１が第２角度θ２に到達する迄に、外容器１０と内容器２０との嵌合が外れるように設けられる。第１角度θ１が第２角度θ２に到達した際は、最内部５４が中心軸Ｚの近傍の位置にあり、収容空間Ｓでは内容物の流路の断面積が比較的小さくなり易い。そして、第１角度θ１が第２角度θ２に到達して以降でも内容器２０の底部６と外容器１０の底部６とが密着していると、内容器２０の収縮に伴って胴部５が更に内方へ反るように変形し、最内部５４が内容物の流路を閉塞し易い。第１角度θ１が第２角度θ２に到達する迄に嵌合部６７の嵌合が外れていると、内容器２０が収縮しても、内容器２０の底部６が浮き上がるだけで、最内部５４の径方向位置は嵌合部６７の嵌合が外れた際から殆ど変化せず、内容物の流路の断面積が維持され得る。よって、二重容器１は、第１角度θ１が第２角度θ２に到達する迄に、嵌合部６７の嵌合を外すことによって、内容器２０の収縮度合が大きくても内容物の流路を確保することができる。
【００４５】
［実施形態１：作用効果］
以上のように、実施形態１に係る二重容器１では、外容器１０及び内容器２０の底部６は、内容器２０の収縮度合に基づいて内容器２０の底部６を外容器１０の底部６から剥離して浮き上がらせる。このため、実施形態１に係る二重容器１では、内容器２０の収縮の進行に応じて中心軸Ｚに近付く最内部５４の径方向位置を、内容器２０の収縮がある程度進行した段階から実質的に変化させずに維持することができる。加えて、実施形態１に係る二重容器１では、内容器２０の口部３と底部６との距離を、内容器２０の収縮がある程度進行した段階から短くすることができる。それにより、実施形態１に係る二重容器１では、最内部５４の内面同士が接近して内容物の流路の断面積が小さくなることを抑制することができると共に、内容物の流路の長さを短くすることができる。よって、実施形態１に係る二重容器１は、内容器２０の収縮が進行した使用終盤段階であっても、内容物が注出され易い流路を確保することができるため、内容物の残留量を低減することができる。
【００４６】
特に、内容物が、中濃若しくは濃厚ソース、液状味噌、オイル又は化粧品等の高粘度内容物である場合、最内部５４の内面同士が接近すると、最内部５４の内面と内容物との摩擦が大きくなるため、低粘度の内容物に比べて内容物が注出され難い。実施形態１に係る二重容器１では、内容物の流路の断面積が小さくなることを抑制し、流路の長さを短くすることができるため、高粘度内容物であっても注出され易い流路を確保することができる。よって、実施形態１に係る二重容器１は、高粘度内容物であっても、その残留量を低減することができる。
【００４７】
更に、実施形態１に係る二重容器１では、外容器１０及び内容器２０の底部６は、外容器１０及び内容器２０を嵌合すると共に内容器２０の収縮度合に応じて嵌合が外れる嵌合部６７を備える。そして、実施形態１に係る二重容器１では、嵌合部６７の嵌合が外れる前は、内容器２０の底部６を外容器１０の底部６に密着させ、嵌合部６７の嵌合が外れると、内容器２０の底部６を外容器１０の底部６から剥離させ浮き上がらせることができる。このため、実施形態１に係る二重容器１では、内容器２０の収縮度合に応じて、内容器２０の底部６を外容器１０の底部６に密着させた状態から、内容器２０の底部６を外容器１０の底部６から剥離させ浮き上がらせた状態へ確実に移行することができる。よって、実施形態１に係る二重容器１は、使用終盤段階であっても内容物が注出され易い流路を確実に確保することができるため、内容物の残留量を確実に低減することができる。
【００４８】
更に、実施形態１に係る二重容器１では、嵌合部６７は、側壁部６６に設けられ、径方向内方に窪んで周方向に延びるように形成される。このため、実施形態１に係る二重容器１では、嵌合部６７を、ブロー成形という既存の製造方法によって設けることができる。よって、実施形態１に係る二重容器１は、内容物が注出され易い流路を簡単に確保することができるため、内容物の残留量を簡単に低減することができる。
【００４９】
更に、実施形態１に係る二重容器１では、嵌合部６７は、最内部５４が直線Ｌに到達する前では、外容器１０と内容器２０との嵌合が維持されるように設けられる。このため、実施形態１に係る二重容器１では、内容器２０の収縮が余り進行していない使用初期段階において、比較的断面積の大きい流路を確保しつつ、内容器２０の底部６を外容器１０の底部６に密着させた状態とすることができる。よって、実施形態１に係る二重容器１では、内容物が流れ易い流路を確保しつつ内容器２０を規則的に収縮させることができるため、内容物の残留量を更に低減することができる。
【００５０】
更に、実施形態１に係る二重容器１では、嵌合部６７は、第１角度θ１が第２角度θ２に到達する迄に、外容器１０と内容器２０との嵌合が外れるように設けられる。このため、実施形態１に係る二重容器１では、使用終盤段階において、内容物の流路の断面積を適切に確保することができると共に、内容物の流路の長さを短くすることができる。よって、実施形態１に係る二重容器１は、使用終盤段階であっても、内容物が注出され易い流路を適切に確保することができるため、内容物の残留量を更に低減することができる。
【００５１】
［他の実施形態］
実施形態２及び３に係る二重容器１について説明する。実施形態２及び３に係る二重容器１の説明において、実施形態１に係る二重容器１と同様の構成及び動作に係る説明については、重複する説明となるため省略する。
【００５２】
図６は、実施形態２に係る二重容器１の底部６付近の縦断面を模式的に示す図である。
【００５３】
実施形態２に係る二重容器１では、底板部６１の側面部６５が中心軸Ｚに対して傾斜角度αで傾斜してよい。傾斜角度αは、第２角度θ２以上の角度であってよい。嵌合部６７の嵌合は、第１角度θ１が第２角度θ２に到達する迄に外れる。傾斜角度αが第２角度θ２以上である場合、嵌合部６７の嵌合が外れる際には傾斜角度αが第１角度θ１より大きくなり得る。傾斜角度αが第１角度θ１より大きいと、内容器２０の収縮に伴って下底部６３に作用する張力は、内容器２０の側面部６５が剥離することに寄与し易くなる。
【００５４】
このため、実施形態２に係る二重容器１では、嵌合部６７の嵌合が外れた後、内容器２０の底部６を、外容器１０の底部６から速やかに剥離することができ、速やかに浮き上がらせることができる。よって、実施形態２に係る二重容器１では、使用終盤段階であっても、内容物が注出され易い流路を速やかに確保することができるため、内容物の残留量を更に低減することができる。
【００５５】
図７は、実施形態３に係る二重容器１の底部６付近の縦断面を模式的に示す図である。
【００５６】
実施形態３に係る二重容器１では、底板部６１の上底部６４において、外容器１０と内容器２０との間には剥離部９０が設けられてよい。剥離部９０は、外容器１０と内容器２０とを剥離させるための部材である。剥離部９０は、流動パラフィン又は耐熱シリコンオイル等の滑剤を含んで構成されてよい。それにより、実施形態３に係る二重容器１では、嵌合部６７の嵌合が外れた後、内容器２０の底部６を、外容器１０の底部６から速やかに剥離することができ、速やかに浮き上がらせることができる。よって、実施形態２に係る二重容器１では、使用終盤段階であっても、内容物が注出され易い流路を速やかに確保することができるため、内容物の残留量を更に低減することができる。
【００５７】
［その他］
上述の実施形態において、二重容器１は、特許請求の範囲に記載された「二重容器」の一例に該当する。外容器１０は、特許請求の範囲に記載された「外容器」の一例に該当する。内容器２０は、特許請求の範囲に記載された「内容器」の一例に該当する。口部３は、特許請求の範囲に記載された「口部」の一例に該当する。胴部５は、特許請求の範囲に記載された「胴部」の一例に該当する。外容器１０の胴部５の下端部５１は、特許請求の範囲に記載された「外容器」の「胴部」の「下端部」の一例に該当する。外容器１０の胴部５の上端部５２は、特許請求の範囲に記載された「外容器」の「胴部」の「上端部」の一例に該当する。最内部５４は、特許請求の範囲に記載された「最内部」の一例に該当する。底部６は、特許請求の範囲に記載された「底部」の一例に該当する。底板部６１は、特許請求の範囲に記載された「底板部」の一例に該当する。下底部６３は、特許請求の範囲に記載された「下底部」の一例に該当する。上底部６４は、特許請求の範囲に記載された「上底部」の一例に該当する。側面部６５は、特許請求の範囲に記載された「側面部」の一例に該当する。側壁部６６は、特許請求の範囲に記載された「側壁部」の一例に該当する。嵌合部６７は、特許請求の範囲に記載された「嵌合部」の一例に該当する。剥離部９０は、特許請求の範囲に記載された「剥離部」の一例に該当する。中心軸Ｚは、特許請求の範囲に記載された「中心軸」の一例に該当する。第１角度θ１は、特許請求の範囲に記載された「第１角度」の一例に該当する。第２角度θ２は、特許請求の範囲に記載された「第２角度」の一例に該当する。
【００５８】
上述の実施形態は、変形例を含めて各実施形態同士で互いの技術を適用することができる。上述の実施形態は、本発明の内容を限定するものではなく、特許請求の範囲を逸脱しない程度に変更を加えることができる。
【００５９】
上述の実施形態及び特許請求の範囲で使用される用語は、限定的でない用語として解釈されるべきである。例えば、「含む」という用語は、「含むものとして記載されたものに限定されない」と解釈されるべきである。「備える」という用語は、「備えるものとして記載されたものに限定されない」と解釈されるべきである。「有する」という用語は、「有するものとして記載されたものに限定されない」と解釈されるべきである。
【符号の説明】
【００６０】
１      二重容器
３      口部
４      肩部
５      胴部
６      底部
１０      外容器
１１      外気導入孔
２０      内容器
２１      被装着部
３１      下端部
５１      下端部
５２      上端部
５３      中間部
５４      最内部
６１      底板部
６２      凹部
６３      下底部
６４      上底部
６５      側面部
６６      側壁部
６７      嵌合部
６８      下部
６９      上部
８０      浮上構造
９０      剥離部
Ａ        空気層
Ｌ        直線
Ｍ１      直線
Ｍ２      直線
Ｓ        収容空間
Ｚ        中心軸
α        傾斜角度
θ１      第１角度
θ２      第２角度
【図１】
2020011753.tif 000003
【図２】
2020011753.tif 000004
【図３】
2020011753.tif 000005
【図４】
2020011753.tif 000006
【図５】
2020011753.tif 000007
【図６】
2020011753.tif 000008
【図７】
2020011753.tif 000009